(57)【要約】【課題】情報送信システムにおいて、家電機器を遠隔に制御可能とし、且つ、家電機器の制御情報の変更を容易なものとし、セキュリティ性の向上を図る。【解決手段】情報送信システムにおいて、改札機は、定期券からＩＤ情報を読み出し、その時刻を示す時刻情報と、自機の機器情報とを付加してホストコンピュータに送信する（Ｓ１０２）。ホストコンピュータは、上記ＩＤ情報、時刻情報及び改札機の位置情報をホームサーバに送信する（Ｓ１０６）。ホームサーバは、これらの情報に関連付けられた家電機器の制御情報を記憶しており、これに基づいて家電機器を制御する（Ｓ１０９）。このような情報の伝送により、家電機器の遠隔な制御が可能になる。また、制御情報はホームサーバにより記憶されるので、利用者がその変更を容易にできると共に、情報通信に伴う情報盗聴等を防止でき、セキュリティ性の向上を図れる。【選択図】図３
2008004005.tif 000002
【特許請求の範囲】
【請求項１】
使用者を特定可能な識別情報を記憶した記録媒体と、前記記録媒体に記憶された識別情報を読み出すリーダと、前記リーダにより読み出された識別情報の伝送を仲介するインターフェースと、前記インターフェースから送信された識別情報を受信し、予め登録された該情報の送信先を選択するホストコンピュータと、前記ホストコンピュータにより送信先として選択され、該コンピュータから送信された識別情報を受信すると共に、該情報に基づいて家電機器を制御するホームサーバと、を備えた情報送信システムにおいて、
前記ホストコンピュータは、前記識別情報を読み出した前記リーダの位置情報と時刻情報とを前記ホームサーバに送信する送信手段を備え、
前記ホームサーバは、
前記識別情報、前記位置情報及び前記時刻情報に関連付けされた家電機器の制御情報を記憶する記憶手段と、
前記ホストコンピュータの送信手段により送信され受信した前記識別情報、前記位置情報及び前記時刻情報に関連付けされた家電機器の制御情報を前記記憶手段から読み出し、該制御情報に基づいて家電機器を制御する制御手段と、を備えることを特徴とする情報送信システム。
【発明の詳細な説明】
【技術分野】
【０００１】
本発明は、記録媒体に記録された使用者の識別情報を読み出し、該識別情報をホームサーバに送信し、該ホームサーバにより識別情報に応じて各種機器を制御する情報送信システムに関する。
【背景技術】
【０００２】
従来より、記録媒体に記録された使用者の識別情報を駅の改札装置又は学校や病院等の装置により読み出し、該識別情報に基づいて自宅の家電機器を制御する情報送信システムが知られている（例えば、特許文献１参照）。この情報送信システムは、各地に配置された駅の改札装置及び学校や病院等の装置（以下、改札装置等と略す）から成り、これらの改札装置等により利用者の行動情報を生成するゲートシステムと、このゲートシステムから送信された行動情報を受信し、該行動情報に応じて家電機器に対する命令を抽出して実行する命令実行システムと、自宅内に設けられたホームサーバと、該ホームサーバにより制御される家電機器と、を備える。命令実行システムには、利用者により事前に、利用者の識別情報、行動条件及び家電機器に対する命令等が登録され、該システムはこれらを格納している。
【０００３】
上記の構成を有する情報送信システムの動作を図４を参照して説明する。まず、ゲートシステムが、定期券、生徒手帳又は診察券等として利用可能なＩＣカード等の記録媒体から、改札機の通過時等に識別情報を読み取る。このとき、ゲートシステムは、識別情報を読み取った時刻を計測する（Ｓ２０１）。時刻の計測後、ゲートシステムは、識別情報、上記の時刻を示す時刻情報、及び自システムの配置位置を示す位置情報を含む行動情報を生成し、命令実行システムに送信する（Ｓ２０２）。命令実行システムは、行動情報をゲートシステムから受信する（Ｓ２０３）。行動情報を受信した命令実行システムは、行動情報を満たす行動条件を検索し、自システムが記憶する命令の中からこの行動条件に対応した命令を抽出する（Ｓ２０４）。命令抽出後、命令実行システムは、抽出した命令を実行に移すための制御情報を作成する（Ｓ２０５）。この制御情報は、命令実行システムからインターネット等のネットワークを介して自宅のホームサーバへ送信される（Ｓ２０６）。自宅のホームサーバは、制御情報を受信し（Ｓ２０７）、受信した制御情報に基づいて各種機器を制御する（Ｓ２０８）。
【０００４】
また、上記のようにユーザの改札機の通過をトリガとして機器を制御するシステムとして、ＩＣチップを搭載した携帯電話機を所持したユーザが改札機を通過したとき、ＩＣチップが、ユーザの状況等に応じて携帯電話機のアプリケーションを起動させ、携帯電話機が、このアプリケーションにより、インターネット網に接続されたホストコンピュータから情報を受信する情報提供システムが知られている（例えば、特許文献２参照）。
【０００５】
また、異なる場所に跨って構築される上記の情報送信システムとは異なり、オフィス内に構築されるものではあるが、記録媒体から読み出した識別情報に基づいて各種機器を制御するシステムとして、管理対象領域内の複数のゲートにそれぞれ配置されたカードリーダが、記録媒体であるＩＣカードからカード所有者の固有情報を読み取り、システム管理サーバ及び電源制御装置が、そのカードリーダの設置位置情報及び読み取った固有情報を基に当該カード所有者の現在の居場所を特定するカードシステムが知られている（例えば、特許文献３参照）。このカードシステムにおいては、システム管理サーバ及び電源制御装置が、特定したカード所有者の居場所に応じて管理対象領域内に存する資源の自動制御を行なう。
【０００６】
また、上記のカードシステムと同様に一施設内に構築されるもので、図５に示されるように、ユーザの施設への出入りを認識する施錠システム１０１と、ユーザが有するＲＦＩＤ（Ｒａｄｉｏ  Ｆｒｅｑｕｅｎｃｙ  Ｉｄｅｎｔｉｆｉｃａｔｉｏｎ）タグに基づいてユーザの存在を認識するＲＦＩＤリーダ１０２と、施錠システム１０１からユーザの出入り情報を受信したとき、ＲＦＩＤリーダ１０２により建物内のユーザの存在を確認し、このユーザの存在状況に基づいてエアコン１０３ａや照明１０３ｂ等の機器１０３の制御を行う管理機器１０４と、を備えた施設内機器の自動制御システムが知られている（例えば、特許文献４参照）。
【特許文献１】特開２００３−２８１０５６号公報
【特許文献２】特開２００５−２４２６８６号公報
【特許文献３】特開２０００−０１１０４５号公報
【特許文献４】特開２００５−３２０８２８号公報
【発明の開示】
【発明が解決しようとする課題】
【０００７】
しかしながら、特許文献１に記載の技術では、命令実行システムが、利用者の識別情報、行動条件及び家電機器に対する命令等を格納しているので、利用者による命令等の変更に手間がかかる。さらに、家電機器の制御情報がネットワークを介して自宅のホームサーバに送られるので、個人情報の漏洩、該情報の盗聴等のセキュリティ上の問題が生じることがある。また、特許文献２に記載の技術では、自動改札機の入退場に伴って家電機器を制御することはできない。また、特許文献３又は特許文献４に記載の技術では、オフィス内の機器を制御することができるが、遠隔に機器を制御することが困難である。
【０００８】
本発明は、上記従来の問題を解決するためになされたものであり、家電機器を遠隔に制御可能な情報送信システムであって、特に、家電機器の制御情報の変更が容易にできると共に、セキュリティ性の向上を図れる情報送信システムを提供することを目的とする。
【課題を解決するための手段】
【０００９】
上記目的を達成するために請求項１の発明は、使用者を特定可能な識別情報を記憶した記録媒体と、前記記録媒体に記憶された識別情報を読み出すリーダと、前記リーダにより読み出された識別情報の伝送を仲介するインターフェースと、前記インターフェースから送信された識別情報を受信し、予め登録された該情報の送信先を選択するホストコンピュータと、前記ホストコンピュータにより送信先として選択され、該コンピュータから送信された識別情報を受信すると共に、該情報に基づいて家電機器を制御するホームサーバと、を備えた情報送信システムにおいて、前記ホストコンピュータは、前記識別情報を読み出した前記リーダの位置情報と時刻情報とを前記ホームサーバに送信する送信手段を備え、前記ホームサーバは、前記識別情報、前記位置情報及び前記時刻情報に関連付けされた家電機器の制御情報を記憶する記憶手段と、前記ホストコンピュータの送信手段により送信され受信した前記識別情報、前記位置情報及び前記時刻情報に関連付けされた家電機器の制御情報を前記記憶手段から読み出し、該制御情報に基づいて家電機器を制御する制御手段と、を備えるものである。
【発明の効果】
【００１０】
請求項１の発明によれば、リーダにより読み出された識別情報が、インターフェース及びホストコンピュータを介してホームサーバへ伝送されるので、該識別情報に基づく家電機器の遠隔な制御が可能になる。また、識別情報、位置情報及び時刻情報に対応した家電機器の制御情報が、家電機器を制御するホームサーバにより記憶されるので、該制御情報の変更を容易にできると共に、該制御情報をネットワークを介して他の機器と送受信することは不要になることから、個人情報の漏洩や盗聴等の起きる危険性が低下し、セキュリティ性の向上を図れる。
【発明を実施するための最良の形態】
【００１１】
以下、本発明の一実施形態に係る情報送信システムについて図１乃至図３を参照して説明する。図１は情報送信システム１の構成を示す。同図に示されるように、情報送信システム１は、使用者を特定可能なＩＤ情報（識別情報）を記憶した不図示の定期券（記録媒体）と、この定期券からＩＤ情報を読み出す改札機２と、改札機２から送信されたＩＤ情報を受信し、このＩＤ情報に加えて各種情報を送信する送信先を選択するホストコンピュータ３と、このホストコンピュータ３から送信されたＩＤ情報を含む各種情報をインターネット４を介して受信するホームサーバ５と、を備える。改札機２は駅構内に設けられ、ホストコンピュータ３は駅構内又は周辺施設内に設けられる。これに対してホームサーバ５は、自宅８０等の建物内に設けられ、受信した各種情報に基づいて、同一の建物に設けられた照明器具６ａ、防犯センサ６ｂ、エアコン６ｃ及びケーブルテレビ放送のチューナであるホームターミナル６ｄ等の家電機器の動作を制御する。以下に照明器具６ａ、防犯センサ６ｂ、エアコン６ｃ及びホームターミナル６ｄを併せて家電機器６という。
【００１２】
図２は、改札機２、ホストコンピュータ３及びホームサーバ５の構成を示す。改札機２は、使用者のＩＤ情報が記録された定期券７から該ＩＤ情報を読み取る読取部２１（リーダ）と、該ＩＤ情報を読み取った時刻を計測するタイマ２２と、読取部２１により読み取られたＩＤ情報の送信先を指定する制御部２３と、この制御部２３からの指令に基づき、ＩＤ情報の伝送を仲介するインターフェース２４と、を備える。上記の定期券７には、磁気定期券や、ＩＣチップを含むＩＣカードから成るＩＣ定期券が含まれる。なお、定期券７は、例えばクレジット機能を備える多機能・高機能なものである必要はなく、単に使用者の属性が識別できるものであればよい。
【００１３】
読取部２１は、磁気定期券から使用者のＩＤ情報を読み取るための磁気ヘッドと、ＩＣ定期券から非接触でＩＤ情報を読み取るための無線通信機能を有する無線読取回路とで構成される。この読取部２１は、磁気ヘッド及び無線読取回路により、磁気定期券又はＩＣ定期券である定期券７から使用者のＩＤ情報を読み出し、読み出したＩＤ情報を制御部２３に送出する。
【００１４】
制御部２３は、ＣＰＵ（Ｃｅｎｔｒａｌ  Ｐｒｏｃｅｓｓｉｎｇ  Ｕｎｉｔ）を構成するマイクロコンピュータ（以下、マイコンと略す）を含む。この制御部２３のマイコンは、読取部２１から送出されたＩＤ情報を受け取ると共に、タイマ２２によりこのＩＤ情報を受け取った時刻を計測する。制御部２３がこのようにＩＤ情報を受け取った時刻が、読取部２１が定期券７からＩＤ情報を読み出したときと看做される。
【００１５】
さらに、制御部２３のマイコンは、定期券７から読み出したＩＤ情報に、個々の改札機２を識別するために割り当てられた自機２の機器情報を付加する。また、このマイコンは、使用者のＩＤ情報と、このＩＤ情報が読み出された時刻を示す時刻情報と、自機２の機器情報とをホストコンピュータ３に送信するため、インターフェース２４に対して、これらの情報と、指定した送信先へのこれらの情報の送信指示とを含む信号を送出する。なお、制御部２３は、上記各種情報に加えて、改札機２が駅入口に設けられたものか或いは駅出口に設けられたものかを示す情報の送信をインターフェース２４に指示してもよい。この情報は、例えば、自宅８０の最寄りの駅から利用者が出たか否かを判断するための判断材料となる。
【００１６】
インターフェース２４は、ホストコンピュータ３とデータの無線通信又は有線による通信を行なうための通信回路で構成される。有線による通信の場合、インターフェース２４とホストコンピュータ３の間は、ＬＡＮ（Ｌｏｃａｌ  Ａｒｅａ  Ｎｅｔｗｏｒｋ）ケーブル、電力線又は他の通信線により電気的に接続される。このインターフェース２４は、制御部２３から送出された上記ＩＤ情報、時刻情報及び自機２の機器情報と、これらの情報の送信指示とを受け取る。制御部２３から送信指示を受けたインターフェース２４は、その指示において送信先として指定されたホストコンピュータ３に、使用者のＩＤ情報、このＩＤ情報の読み出し時刻を示す時刻情報及び自機２の機器情報を送信する。
【００１７】
ホストコンピュータ３は、改札機２の各種制御を行なう制御装置であり、この制御装置は、改札機２のインターフェース２４から送信された使用者のＩＤ情報と、このＩＤ情報が読み出された時刻を示す時刻情報と、このＩＤ情報を読み出した改札機２の機器情報とを受信する受信部３１と、改札機２の機器情報と位置情報とが関連付けされて格納されたメモリ３２と、を備える。さらに、ホストコンピュータ３は、このＩＤ情報を読み出した改札機２の位置情報をメモリ３２から取得する制御部３３と、この制御部３３からの指示に基づき、ＩＤ情報、時刻情報及び位置情報をホームサーバ５に送信する送信部３４と、を備える。
【００１８】
受信部３１は、改札機２とデータの無線通信又は有線による通信を行なうための通信回路で構成される。この受信部３１は、通信回路により、改札機２のインターフェース２４から送信された使用者のＩＤ情報、上記時刻情報及び改札機２の機器情報を受信し、これらの情報を含む信号を制御部３３に送出する。
【００１９】
メモリ３２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）で構成される。ＲＯＭには、ホストコンピュータ３の動作プログラムが格納され、ＲＡＭにはデータ処理時のデータが一時的に保存される。ＥＥＰＲＯＭには、改札機２の機器情報と、該機２の設置場所を示す位置情報とが対応付けされて登録される。さらに、ＥＥＰＲＯＭには、情報送信システム１の使用者のＩＤ情報と、該ＩＤ情報の送信先を示す送信先情報とが対応付けされて登録される。この送信先情報は、例えばホームサーバ５に割り当てられたＩＰアドレスである。上記の情報の登録及び対応付けは、利用者又は情報送信システム１の管理者が不図示のキーボード等から成る操作部を操作することにより予め行なわれる。
【００２０】
制御部３３は、ＣＰＵを構成するマイコンを含み、このマイコンは、メモリ３２に格納された動作プログラムをロードし、この動作プログラムに従って動作する。また、制御部３３は、受信部３１から送出された使用者のＩＤ情報、ＩＤ情報の読み出し時刻を示す時刻情報及び改札機２の識別情報を受信する。これらの情報を受信した制御部３３は、動作プログラムに従って、メモリ３２を参照し、受信部３１からの信号に基づき、複数人のＩＤ情報にそれぞれ対応付けられた複数の送信先情報のうちから、改札機２が読み出したＩＤ情報に対応付けされた送信先情報を選択して、該情報を取得する。また、制御部３３は同様にメモリ３２を参照し、ＩＤ情報を読み出した改札機２の機器情報に対応付けされた該機２の位置情報を取得する。これらの情報の取得後、制御部３３は、送信先情報に基づいて上記各種情報の送信先を指定し、送信先として指定されたホームサーバ５への上記各種情報の送信を指示する指示信号を送信部３４に出力する（送信手段）。
【００２１】
送信部３４は、ホームサーバ５とインターネット４を介したデータ通信を行なうための通信回路で構成され、この通信回路により、制御部３３からの指示信号に応じて、使用者のＩＤ情報と、改札機２がＩＤ情報が読み出された時刻を示す時刻情報と、ＩＤ情報を読み出した改札機２の位置情報とをホームサーバ５に送信する（送信手段）。これらの情報は、該情報を含む所定の電気信号により又は電子メールにより、インターネット４を介して送信される。このように、ホストコンピュータ３の制御部３３及び送信部３４は、ＩＤ情報を、送達すべきホームサーバ５に振り分けて送信する機能を有する。
【００２２】
ホームサーバ５は、使用者を特定可能なＩＤ情報、ＩＤ情報の読み出し時刻を示す時刻情報及びＩＤ情報を読み出す改札機２の位置情報に関連付けされた家電機器６の制御内容を示す制御情報を記憶するメモリ５１（記憶手段）と、このメモリ５１に格納された制御情報を変更するため、ユーザにより操作される操作部５２と、を備える。さらに、ホームサーバ５は、ホストコンピュータ３から送信されたＩＤ情報、時刻情報及び位置情報を受信する受信部５３と、この受信部５３が受信したこれらの情報に対応した家電機器６の制御情報をメモリ５１から読み出す制御部５４（制御手段）と、この制御部５４からの指示に基づいて各種家電機器６に制御信号を送信する送信部５５と、を有する。上記構成を有するホームサーバは、例えば使用者の自宅内に設置されたパソコンである。
【００２３】
メモリ５１は、ＲＯＭ、ＲＡＭ及びＥＥＰＲＯＭで構成される。ＲＯＭには、ホームサーバ５の動作プログラムが格納され、ＲＡＭにはデータ処理時のデータが一時的に保存される。ＥＥＰＲＯＭには、上記ＩＤ情報、時刻情報及び改札機２の位置情報と、家電機器６の制御情報とが関連付けされた制御テーブルが記憶されている。この制御テーブルにおいて、例えば、ＩＤ情報として、自宅８０に住む個々の居住者に割り当てられた複数のＩＤが登録されており、時刻情報として、複数の時間帯が個々の居住者ごとに区分けされて設定されており、位置情報として、通勤又は通学等で頻繁に用いる駅や最寄りの駅の位置を示す情報が登録されている。また、制御情報として、例えば、照明器具６ａの点灯／消灯、防犯センサ６ｂの防犯モードのセット／解除、エアコン６ｃの電源ＯＮ／ＯＦＦ、鍵（不図示）の施錠／開錠等の各種制御内容が設定されている。さらに、この制御情報として、ホストコンピュータ３からの信号の受信後に上記の各種制御内容を即座に実行するか否かを示す情報と、該信号の受信後に即座に制御を行なわない場合の待機時間を示す情報とが制御内容に合わせて登録されている。この待機時間は、最適なタイミングで各種家電機器６を制御するために設定される。
【００２４】
操作部５２は、例えばキーボードから成り、ユーザによるキーの押下げ操作に基づいて操作信号を制御部５４に送出する。ユーザはこの操作部５２を操作することにより、例えば、メモリ５１に格納された上記の制御テーブルの内容の削除、追加及び変更をすることができる。
【００２５】
受信部５３は、ホストコンピュータ３とインターネット４を介したデータ通信を行なうための通信回路で構成される。この受信部５３は、この通信回路により、ホストコンピュータ３の送信部３４から送信された使用者のＩＤ情報と、このＩＤ情報が読み出された時刻情報と、改札機２の位置を示す位置情報とを含む所定の電気信号又は電子メールを受信し、これらの情報を含む信号を制御部５４に送出する。
【００２６】
制御部５４は、ＣＰＵを構成するマイコンを含み、このマイコンは、メモリ５１に格納された動作プログラムをロードし、この動作プログラムに従って動作する。また、このマイコンは、操作部５２からの操作信号に基づき、メモリ５１へのデータ書き込み、又はメモリ５１に格納されたデータの消去を行なう。このデータの書き込み又は消去により、制御テーブルの内容が削除、追加又は変更される。さらに、このマイコンは、受信部５３から送出された上記信号に基づき、メモリ５１に格納された制御テーブルを参照して該制御テーブルの内容を読み出すと共に、該信号に含まれる使用者のＩＤ情報、このＩＤ情報が読み出された時刻を示す時刻情報、及びこのＩＤ情報を読み出した改札機２の位置情報と関連付けされた家電機器６の制御情報を選択する。この制御情報には、制御対象の家電機器６の情報と、この家電機器６の動作内容とが含まれる。制御部５４は、選択した制御情報に基づく家電機器６の制御を行なうため、該制御を指示する指示信号が制御部５４から送信部５５に送出される。
【００２７】
上記のように、ホームサーバ５のメモリ５１が家電機器６の制御内容を示す制御テーブルを記憶しており、制御部５４がこの制御テーブルに基づいて家電機器６を制御するので、利用者が自宅８０で該制御情報の変更を容易にできると共に、該制御情報をインターネット等のネットワークを介して他の機器と送受信することは不要になることから、個人情報の漏洩や盗聴等の発生する危険性が低下し、セキュリティ性の向上を図れる。
【００２８】
送信部５５は、家電機器６とデータ通信を行なうための通信回路で構成され、このデータ通信は、自宅８０内に配線された電力線又はＬＡＮケーブルを介して行なわれる。この送信部５５は、制御部５４からの指示信号に基づき、制御対象となる家電機器６に対して、動作内容を指示する制御信号を送信する。
【００２９】
図３は、情報送信システム１による家電機器６の制御動作を時系列に示す。まず、利用者が、例えば、会社又は学校からの帰宅途中に、自宅８０から最寄りの駅の改札口を通ったとする。このとき、改札口に設置された改札機２の読取部２１は、利用者の定期券７から利用者のＩＤ情報を読み出す。また、改札機２の制御部２３は、タイマ２２により、このＩＤ情報読み出し時刻を計測し、該時刻を示す時刻情報を取得する。さらに、この制御部２３は、上記のＩＤ情報と時刻情報とに、個々の改札機２を識別するために自機２に割り当てられた機器情報を付加する（Ｓ１０１）。改札機２のインターフェース２４は、制御部２３からの信号に基づき、制御部２３により送信先として指定されたホストコンピュータ３に、上記のＩＤ情報、時刻情報及び機器情報を送信する（Ｓ１０２）。このように、利用者の改札口の通過が、家電機器６の制御動作のトリガとなる。
【００３０】
ホストコンピュータ３の受信部３１は、改札機２から送信された上記ＩＤ情報、時刻情報及び機器情報を受信する（Ｓ１０３）。制御部３３は、受信部３１が受信した機器情報に基づき、メモリ３２を参照して、この機器情報を送信した送信元の位置を示す位置情報を取得する（Ｓ１０４）。さらに、制御部３３は、受信部３１が受信したＩＤ情報に基づき、メモリ３２を参照して、このＩＤ情報の送信先を選択する（Ｓ１０５）。送信部３４は、制御部３３からの指示信号に基づき、上記ＩＤ情報、時刻情報及び位置情報を、選択された送信先であるホームサーバ５に送信する（Ｓ１０６）。これらの情報の伝送はインターネット４を介して行なわれる。
【００３１】
ホームサーバ５の受信部５３は、ホストコンピュータ３から送信されたＩＤ情報、時刻情報及び位置情報を受信する（Ｓ１０７）。制御部５４は、メモリ５１に格納された制御テーブルを参照し、これらの情報に関連付けされた制御情報を選択する（Ｓ１０８）。さらに、制御部５４は、選択された制御情報に基づいて家電機器６を制御する（Ｓ１０９）。
【００３２】
上記のように、改札機２の読取部２１により読み出された識別情報が、インターフェース２４及びホストコンピュータ３を介してホームサーバ５へ伝送されるので、該識別情報に基づく家電機器の遠隔な制御が可能になる。また、家電機器６の制御内容を示す制御情報は、自宅８０外で伝送されることはないので、個人情報の盗聴等の発生を防止できる。
【００３３】
以下に、家電機器６の制御内容の一例を説明する。例えば、利用者が、帰宅予定時間に、自宅８０から最寄りの駅の改札口を通ったとき、ホームサーバ５は、改札機２からの情報を基に、照明器具６ａに付けられた人感センサ（不図示）により自宅８０内に人がいるか否かを判断し、自宅８０内に人がいない場合、すぐに照明器具６ａを点灯し、エアコン６ｃの電源をＯＮする。また、駅から自宅８０までの所要時間が考慮されて設定された待機時間の経過後、防犯センサ６ｂの防犯モードが解除される。このため、利用者は、照明器具６ａが点灯し、エアコン６ｃが動作している快適な状態の自宅８０に帰宅できる。さらに、帰宅直前までは防犯センサ６ｂは防犯モードであるため、セキュリティの向上を図れる。一方、自宅８０内に人がいる場合、ホームサーバ５は、自サーバ５にメールを送信したり、ホームターミナル６ｄを用いてテレビ画面に文字を映し出したりすることにより、利用者の帰宅を通知すると共に、帰宅途中の利用者の部屋に設けられたエアコン６ｃの電源をＯＮする。このため、自宅８０にいる人は、利用者の帰宅を知ることができる。
【００３４】
また、利用者が、帰宅予定時間ではなく、出勤予定時間に、自宅８０から最寄りの駅の改札口を通ったとき、ホームサーバ５は、改札機２からの情報を基に、照明器具６ａの消灯、防犯センサ６ｂの防犯モードのセット、エアコン６ｃの電源ＯＦＦ、鍵の施錠等を行なう。
【００３５】
次に、情報送信システム１の上記構成の変形例を説明する。本変形例に係る情報送信システムは、図示を省略するが、図１に示される実施形態の構成と比較して、利用者のＩＤ情報を読み取る機器として、改札機の代わりに、ＩＤ情報を読み取る機能を備えた照明柱を用いる。この照明柱は、通過する利用者のＩＤ情報を定期券等の記録媒体から読み取る読取部と、ＩＤ情報を読み取った時刻を計測するためのタイマと、を備える。また、照明柱は、上記タイマにより計測された時刻を示す時刻情報と、上記読取部により読み出されたＩＤ情報と、自柱の位置を示す位置情報とをインターフェースによりホストコンピュータに送信する制御部を有する。なお、読取部を２本の照明柱にそれぞれ取り付け、制御部が、上記読取部がＩＤ情報を読み取る順番に基づいて、利用者が自宅から遠ざかっているか或いは自宅に近づいているかを割り出し、その情報をホストコンピュータを介してホームサーバへ送信してもよい。このような構成により、ホームサーバは、利用者が例えば出勤途中であるか或いは帰宅途中であるかを把握することができる。このため、ホームサーバが、利用者が自宅に近づいているか否かの判断を誤ることにより生ずる誤動作を防ぐことができ、利用者の状況に合わせた、家電機器のさらに正確な制御が可能となる。
【００３６】
本発明は、上記のような実施形態の構成に限定されるものでなく、使用目的に応じ、様々な変形が可能である。例えば、記録媒体は、定期券７に限定されず、ＩＣカード又は携帯電話機であってもよい。また、記録媒体から使用者のＩＤ情報を読み取る読取部は、改札機２に限定されず、レジ又は電柱に設けられていても構わない。また、ホストコンピュータ３のメモリ３２に格納された送信先情報は、ホームサーバ５に割り当てられたＩＰアドレスに限定されず、メールアドレスであってもよい。
【図面の簡単な説明】
【００３７】
【図１】本発明の一実施の形態に係る情報送信システムの構成図。
【図２】上記情報送信システムを構成する改札機、ホストコンピュータ及びホームサーバの構成を示すブロック図。
【図３】上記情報送信システムにおける家電機器制御動作を示すフローチャート。
【図４】従来の情報送信システムの構成図。
【図５】従来の施設内機器の自動制御システムの構成図。
【符号の説明】
【００３８】
１  情報送信システム
２  改札機
２１  読取部（リーダ）
２２  タイマ
２３  制御部
２４  インターフェース
３  ホストコンピュータ
３１  受信部
３２  メモリ
３３  制御部
３４  送信部（送信手段）
５  ホームサーバ
５１  メモリ（記憶手段）
５２  操作部
５３  受信部
５４  制御部（制御手段）
５５  送信部
６  家電機器
７  定期券（記録媒体）
【図１】
2008004005.tif 000003
【図２】
2008004005.tif 000004
【図３】
2008004005.tif 000005
【図４】
2008004005.tif 000006
【図５】
2008004005.tif 000007